(57)【要約】【課題】回路構成を簡潔化して小型化、低コスト化が可能なデュアルシステム無線通信装置を提供する。【解決手段】送信用ミキサ５、受信用ミキサ６には切換スイッチ７を用いて第１，第２の局部発振器３，４を選択的に接続する。また、各ミキサ５，６は帯域阻止フィルタ９，１４を介してアンテナ１１に接続する。そして、第１，第２の局部発振信号ＬＯ１，ＬＯ２の発振周波数ＦＬＯ１，ＦＬＯ２を第１，第２の無線周波数信号ＲＦ１，ＲＦ２の周波数ＦＲＦ１，ＦＲＦ２と中間周波数信号ＩＦの周波数ＦＩＦとの和，差にそれぞれ設定する。これにより、帯域阻止フィルタ９，１４を用いて、第１，第２の無線周波数信号ＲＦ１，ＲＦ２を通過させ、第１，第２の局部発振信号ＬＯ１，ＬＯ２を遮断することができ、回路構成を簡略化することができる。【選択図】        図１
2004343329.tif 000002
【特許請求の範囲】
【請求項１】
第１の局部発振信号を出力する第１の局部発振器と、前記第１の局部発振信号とは周波数の異なる第２の局部発振信号を出力する第２の局部発振器と、前記第１，第２の局部発振信号を用いて中間周波数信号をアップコンバートして第１，第２の無線周波数信号を出力する送信用ミキサと、該送信用ミキサに対して第１，第２の局部発振器のうちいずれか一方を接続する切換スイッチとを備えたデュアルシステム無線通信装置であって、
前記第１，第２の無線周波数信号の周波数をＦＲＦ１，ＦＲＦ２（但し、ＦＲＦ１＞ＦＲＦ２）とし、中間周波数信号の周波数をＦＩＦとしたときに、前記第１の局部発振信号の発振周波数ＦＬＯ１をＦＬＯ１＝ＦＲＦ１−ＦＩＦに設定し、前記第２の局部発振信号の発振周波数ＦＬＯ２をＦＬＯ２＝ＦＲＦ２＋ＦＩＦに設定し、
前記送信用ミキサの出力側には、第１，第２の無線周波数信号を通過させ、第１，第２の局部発振信号を遮断する帯域阻止フィルタを設けてなるデュアルシステム無線通信装置。
【請求項２】
第１の局部発振信号を出力する第１の局部発振器と、前記第１の局部発振信号とは周波数の異なる第２の局部発振信号を出力する第２の局部発振器と、前記第１，第２の局部発振信号を用いて受信した第１，第２の無線周波数信号をダウンコンバートして中間周波数信号を出力する受信用ミキサと、該受信用ミキサに対して第１，第２の局部発振器のうちいずれか一方を接続する切換スイッチとを備えたデュアルシステム無線通信装置であって、
前記第１，第２の無線周波数信号の周波数をＦＲＦ１，ＦＲＦ２（但し、ＦＲＦ１＞ＦＲＦ２）とし、中間周波数信号の周波数をＦＩＦとしたときに、前記第１の局部発振信号の発振周波数ＦＬＯ１をＦＬＯ１＝ＦＲＦ１−ＦＩＦに設定し、前記第２の局部発振信号の発振周波数ＦＬＯ２をＦＬＯ２＝ＦＲＦ２＋ＦＩＦに設定し、
前記受信用ミキサの入力側には、第１，第２の無線周波数信号を通過させ、第１，第２の局部発振信号を遮断する帯域阻止フィルタを設けてなるデュアルシステム無線通信装置。
【請求項３】
前記帯域阻止フィルタは、第１，第２の局部発振信号に加えて、第１の局部発振信号よりも周波数ＦＩＦだけ低周波な信号を遮断すると共に、第２の局部発振信号よりも周波数ＦＩＦだけ高周波な信号を遮断する構成としてなる請求項１または２に記載のデュアルシステム無線通信装置。
【請求項４】
前記帯域阻止フィルタの入力側または出力側には、第１，第２の無線周波数信号を通過させ、第１の無線周波数信号よりも高周波な信号と第２の無線周波数信号よりも低周波な信号とを遮断する帯域通過フィルタを設けてなる請求項１，２または３に記載のデュアルシステム無線通信装置。
【発明の詳細な説明】
【０００１】
【発明の属する技術分野】
本発明は、２つの異なる周波数の無線周波数信号を切換えて使用するデュアルシステム無線通信装置に関する。
【０００２】
【従来の技術】
一般に、デュアルシステム無線通信装置として、２つの異なる周波数の第１，第２の局部発振信号と共通の中間周波数信号とを用いて２つの異なる周波数の第１，第２の無線周波数信号を送信または受信可能に構成したものが知られている（例えば、特許文献１参照）。
【０００３】
【特許文献１】
特開平１１−１５０４８８号公報
【０００４】
そして、このような従来技術によるデュアルシステム無線通信装置では、２つの異なる周波数の第１，第２の局部発振信号を出力する局部発振回路と、第１，第２の局部発振信号を用いて中間周波数信号をアップコンバートして第１，第２の無線周波数信号を出力する送信用ミキサと、第１，第２の局部発振信号を用いて受信した第１，第２の無線周波数信号をダウンコンバートして中間周波数信号を出力する受信用ミキサとを備えている。
【０００５】
また、従来技術では、送信用ミキサ、受信用ミキサには２つの無線周波数信号に対応して２つのアンテナを並列接続すると共に、一方のアンテナには第１の無線周波数信号を通過させる帯域通過フィルタを接続し、他方のアンテナには第２の無線周波数信号を通過させる帯域通過フィルタを接続していた。
【０００６】
【発明が解決しようとする課題】
ところで、上述した従来技術によるデュアルシステム無線通信装置では、２つの無線周波数信号に対応してアンテナおよび帯域通過フィルタをそれぞれ設けていたから、装置全体が大型化し易く、製造コストが高くなるという問題があった。
【０００７】
また、送信用ミキサ、受信用ミキサとアンテナとの間には２つの無線周波数信号をいずれも通過させる単一の帯域通過フィルタを設けた構成も知られているが、この場合の帯域通過フィルタは２つの無線周波数信号間の信号も通過してしまうため、例えば局部発振信号がノイズとなってアンテナから出力されるという問題がある。
【０００８】
本発明は上述した従来技術の問題に鑑みなされたもので、本発明の目的は、回路構成を簡潔化して小型化、低コスト化が可能なデュアルシステム無線通信装置を提供することにある。
【０００９】
【課題を解決するための手段】
上述した課題を解決するために、請求項１の発明は、第１の局部発振信号を出力する第１の局部発振器と、前記第１の局部発振信号とは周波数の異なる第２の局部発振信号を出力する第２の局部発振器と、前記第１，第２の局部発振信号を用いて中間周波数信号をアップコンバートして第１，第２の無線周波数信号を出力する送信用ミキサと、該送信用ミキサに対して第１，第２の局部発振器のうちいずれか一方を接続する切換スイッチとを備えたデュアルシステム無線通信装置であって、前記第１，第２の無線周波数信号の周波数をＦＲＦ１，ＦＲＦ２（但し、ＦＲＦ１＞ＦＲＦ２）とし、中間周波数信号の周波数をＦＩＦとしたときに、前記第１の局部発振信号の発振周波数ＦＬＯ１をＦＬＯ１＝ＦＲＦ１−ＦＩＦに設定し、前記第２の局部発振信号の発振周波数ＦＬＯ２をＦＬＯ２＝ＦＲＦ２＋ＦＩＦに設定し、前記送信用ミキサの出力側には、第１，第２の無線周波数信号を通過させ、第１，第２の局部発振信号を遮断する帯域阻止フィルタを設ける構成としている。
【００１０】
このように構成したことにより、送信用ミキサに対して第１の局部発振信号（ＦＬＯ１）と中間周波数信号（ＦＩＦ）とを入力することによって第１の無線周波数信号（ＦＲＦ１）を出力することができると共に、第２の局部発振信号（ＦＬＯ２）と中間周波数信号（ＦＩＦ）とを入力することによって第２の無線周波数信号（ＦＲＦ２）を出力することができる。このため、送信用ミキサの入力側には単一の変調回路を接続すればよく、回路構成を簡略化することができる。
【００１１】
また、中間周波信号の周波数ＦＩＦを第１，第２の無線周波数信号の周波数ＦＲＦ１，ＦＲＦ２の差（ＦＲＦ１−ＦＲＦ２）よりも小さい値に設定することによって、第１，第２の局部発振信号の発振周波数ＦＬＯ１，ＦＬＯ２を第１，第２の無線周波数信号の周波数ＦＲＦ１，ＦＲＦ２間の値に設定することができるから、単一の帯域阻止フィルタを用いて第１，第２の無線周波数信号を通過させ、第１，第２の局部発振信号を遮断することができる。
【００１２】
請求項２の発明は、第１の局部発振信号を出力する第１の局部発振器と、前記第１の局部発振信号とは周波数の異なる第２の局部発振信号を出力する第２の局部発振器と、前記第１，第２の局部発振信号を用いて受信した第１，第２の無線周波数信号をダウンコンバートして中間周波数信号を出力する受信用ミキサと、該受信用ミキサに対して第１，第２の局部発振器のうちいずれか一方を接続する切換スイッチとを備えたデュアルシステム無線通信装置であって、前記第１，第２の無線周波数信号の周波数をＦＲＦ１，ＦＲＦ２（但し、ＦＲＦ１＞ＦＲＦ２）とし、中間周波数信号の周波数をＦＩＦとしたときに、前記第１の局部発振信号の発振周波数ＦＬＯ１をＦＬＯ１＝ＦＲＦ１−ＦＩＦに設定し、前記第２の局部発振信号の発振周波数ＦＬＯ２をＦＬＯ２＝ＦＲＦ２＋ＦＩＦに設定し、前記受信用ミキサの入力側には、第１，第２の無線周波数信号を通過させ、第１，第２の局部発振信号を遮断する帯域阻止フィルタを設ける構成としている。
【００１３】
このように構成したことにより、受信用ミキサに対して第１の無線周波数信号（ＦＲＦ１）と第１の局部発振信号（ＦＬＯ１）とを入力することによって中間周波数信号（ＦＩＦ）を出力することができると共に、第２の無線周波数信号（ＦＲＦ２）と第２の局部発振信号（ＦＬＯ２）とを入力することによって中間周波数信号（ＦＩＦ）を出力することができる。このため、受信用ミキサの出力側には単一の復調回路を接続すればよく、回路構成を簡略化することができる。
【００１４】
また、中間周波信号の周波数ＦＩＦを第１，第２の無線周波数信号の周波数ＦＲＦ１，ＦＲＦ２の差（ＦＲＦ１−ＦＲＦ２）よりも小さい値に設定することによって、第１，第２の局部発振信号の発振周波数ＦＬＯ１，ＦＬＯ２を第１，第２の無線周波数信号の周波数ＦＲＦ１，ＦＲＦ２間の値に設定することができるから、単一の帯域阻止フィルタを用いて第１，第２の無線周波数信号を通過させ、第１，第２の局部発振信号を遮断することができる。
【００１５】
請求項３の発明は、前記帯域阻止フィルタは、第１，第２の局部発振信号に加えて、第１の局部発振信号よりも周波数ＦＩＦだけ低周波な信号を遮断すると共に、第２の局部発振信号よりも周波数ＦＩＦだけ高周波な信号を遮断する構成としている。
【００１６】
この場合、送信用ミキサは、第１の局部発振信号（ＦＬＯ１）と中間周波数信号（ＦＩＦ）とを用いて周波数ＦＬＯ１，ＦＩＦの和で振動する第１の無線周波数信号（ＦＲＦ１）を出力すると共に、これらの周波数ＦＬＯ１，ＦＩＦの差（ＦＬＯ１−ＦＩＦ）で振動するスプリアス信号を出力する傾向がある。同様に、送信用ミキサは、第２の局部発振信号（ＦＬＯ２）と中間周波数信号（ＦＩＦ）とを用いて周波数ＦＬＯ１，ＦＩＦの差で振動する第２の無線周波数信号（ＦＲＦ２）を出力すると共に、これらの周波数ＦＬＯ２，ＦＩＦの和（ＦＬＯ２＋ＦＩＦ）で振動するスプリアス信号を出力する傾向がある。
【００１７】
これに対し、帯域阻止フィルタは第１の局部発振信号よりも周波数ＦＩＦだけ低周波な信号（ＦＬＯ１−ＦＩＦ）を遮断すると共に、第２の局部発振信号よりも周波数ＦＩＦだけ高周波な信号（ＦＬＯ２＋ＦＩＦ）を遮断するから、これらのスプリアス信号も遮断することができる。
【００１８】
請求項４の発明は、前記帯域阻止フィルタの入力側または出力側には、第１，第２の無線周波数信号を通過させ、第１の無線周波数信号よりも高周波な信号と第２の無線周波数信号よりも低周波な信号とを遮断する帯域通過フィルタを設ける構成としている。
【００１９】
これにより、帯域通過フィルタは第１の無線周波数信号よりも高周波な信号を遮断すると共に、第２の無線周波数信号よりも低周波な信号を遮断するから、帯域通過フィルタと帯域阻止フィルタとを組合せることによって第１，第２の無線周波数信号だけを通過させることができ、送信または受信の品質を高めることができる。
【００２０】
【発明の実施の形態】
以下、本発明の実施の形態によるデュアルシステム無線通信装置を添付図面に従って詳細に説明する。なお、本実施の形態によるデュアルシステム無線通信装置では、第１，第２の無線周波数信号ＲＦ１，ＲＦ２として例えば５．２ＧＨｚ，２．４ＧＨｚの高周波信号を送信、受信するものとし、中間周波数信号ＩＦとして例えば１ＧＨｚの信号を使用するものとする。
【００２１】
まず、図１は第１の実施の形態によるデュアルシステム無線通信装置を示し、図において、１はベースバンド処理部で、該ベースバンド処理部１は、例えば送信時にはＱＰＳＫデータ信号等のベースバンド信号（ディジタル信号）を用いてＩ信号（同相信号）とＱ信号（直交信号）とを変調すると共に、受信時にはＩ信号とＱ信号からベースバンド信号を復調する。
【００２２】
２はベースバンド処理部１に接続された変復調回路部で、該変復調回路部２は、直交検波回路等によって構成され、例えば送信側ではＩ信号とＱ信号とを用いて周波数ＦＩＦ（例えば、ＦＩＦ＝１ＧＨｚ）の中間周波数信号ＩＦを変調すると共に、受信側では中間周波数信号ＩＦからＩ信号とＱ信号を復調する。
【００２３】
３は後述の送信用ミキサ５、受信用ミキサ６に接続される第１の局部発振器で、該第１の局部発振器３は、第１の局部発振信号ＬＯ１を出力すると共に、該第１の局部発振信号ＬＯ１の発振周波数ＦＬＯ１を第１の無線周波数信号ＲＦ１の周波数ＦＲＦ１（例えば、ＦＲＦ１＝５．２ＧＨｚ）と中間周波数信号ＩＦの周波数ＦＩＦとの差（ＦＬＯ１＝ＦＲＦ１−ＦＩＦ）として例えば４．２ＧＨｚ程度の値に設定している。
【００２４】
４は後述の送信用ミキサ５、受信用ミキサ６に接続される第２の局部発振器で、該第２の局部発振器４は、第２の局部発振信号ＬＯ２を出力すると共に、該第２の局部発振信号ＬＯ２の発振周波数ＦＬＯ２を第２の無線周波数信号ＲＦ２の周波数ＦＲＦ２（例えば、ＦＲＦ２＝２．４ＧＨｚ）と中間周波数信号ＩＦの周波数ＦＩＦとの和（ＦＬＯ２＝ＦＲＦ２＋ＦＩＦ）として例えば３．４ＧＨｚ程度の値に設定している。
【００２５】
５は入力側が変復調回路部２と第１，第２の局部発振器３，４に接続され、出力側が後述のＢＥＦ９に接続された送信用ミキサで、該送信用ミキサ５は、後述の切換スイッチ７を用いて第１，第２の局部発振器３，４のいずれか一方に選択的に接続される。そして、送信用ミキサ５は、第１の局部発振信号ＬＯ１が入力されたときには中間周波数信号ＩＦをアップコンバートして第１の無線周波数信号ＲＦ１を出力し、第２の局部発振信号ＬＯ２が入力されたときには中間周波数信号ＩＦをアップコンバートして第２の無線周波数信号ＲＦ２を出力する。
【００２６】
６は入力側が後述のＢＥＦ１４と第１，第２の局部発振器３，４に接続され、出力側が変復調回路部２に接続される受信用ミキサで、該受信用ミキサ６は、後述の切換スイッチ７を用いて第１，第２の局部発振器３，４のいずれか一方に選択的に接続される。そして、受信用ミキサ６は、第１の無線周波数信号ＲＦ１と第１の局部発振信号ＬＯ１とが入力されたときには第１の無線周波数信号ＲＦ１をダウンコンバートして中間周波数信号ＩＦを出力し、第２の無線周波数信号ＲＦ２と第２の局部発振信号ＬＯ２が入力されたときには第１の無線周波数信号ＲＦ１をダウンコンバートして中間周波数信号ＩＦを出力する。これにより、第１，第２の無線周波数信号ＲＦ１，ＲＦ２のいずれが入力されたときでも、共通の中間周波数信号ＩＦを変復調回路部２に向けて出力できるものである。
【００２７】
７は送信用ミキサ５、受信用ミキサ６と第１，第２の局部発振器３，４との間に設けられた切換スイッチで、該切換スイッチ７は、送信用ミキサ５、受信用ミキサ６に対して第１，第２の局部発振器３，４のうちいずれか一方を選択的に接続する。
【００２８】
８は送信用ミキサ５と受信用ミキサ６に接続された無線通信回路部で、該無線通信回路部８は、後述するようにＢＥＦ９と電力増幅器１０とからなる送信側の回路および低雑音増幅器１３とＢＥＦ１４とからなる受信側の回路とによって大略構成されている。
【００２９】
９は送信用ミキサの出力側に接続された送信側の帯域阻止フィルタ（以下、ＢＥＦ９という）で、該ＢＥＦ９は、図２に示すように第１，第２の無線周波数信号ＲＦ１，ＲＦ２を通過させ、第１，第２の局部発振信号ＬＯ１，ＬＯ２を遮断する。また、ＢＥＦ９は、第１の局部発振信号ＬＯ１よりも中間周波数信号ＩＦの周波数ＦＩＦだけ低周波（ＦＬＯ１−ＦＩＦ＝３．２ＧＨｚ）なスプリアス信号を遮断すると共に、第２の局部発振信号ＬＯ２よりも周波数ＦＩＦだけ高周波（ＦＬＯ２＋ＦＩＦ＝４．４ＧＨｚ）なスプリアス信号をも遮断する構成となっている。
【００３０】
１０は図１に示すようにＢＥＦ９の出力側に接続された電力増幅器で、該電力増幅器１０は、ＢＥＦ９を通過した第１，第２の無線周波数信号ＲＦ１，ＲＦ２を増幅し、アンテナ１１に向けて出力する。また、アンテナ１１は、送信動作と受信動作とを選択する共用器１２を介して電力増幅器１０と後述の低雑音増幅器１３とに選択的に接続され、第１，第２の無線周波数信号ＲＦ１，ＲＦ２を送信または受信する。なお、共用器１２は、例えばアンテナ１１に対して電力増幅器１０と後述の低雑音増幅器１３とを選択的に接続する切換スイッチ等によって構成されている。
【００３１】
１３は共用器１２を介してアンテナ１１に接続される低雑音増幅器で、該低雑音増幅器１３は、アンテナ１１によって受信された第１，第２の無線周波数信号ＲＦ１，ＲＦ２を増幅し、後述の受信用ミキサ６に向けて出力する。
【００３２】
１４は低雑音増幅器１３と受信用ミキサ６との間に位置して受信用ミキサ６の入力側に接続された受信側の帯域阻止フィルタ（以下、ＢＥＦ１４という）で、該ＢＥＦ１４は、ＢＥＦ９とほぼ同様に第１，第２の無線周波数信号ＲＦ１，ＲＦ２を通過させ、第１，第２の局部発振信号ＬＯ１，ＬＯ２を遮断する。また、ＢＥＦ１４は、第１の局部発振信号ＬＯ１よりも中間周波数信号ＩＦの周波数ＦＩＦだけ低周波（ＦＬＯ１−ＦＩＦ＝３．２ＧＨｚ）なスプリアス信号を遮断すると共に、第２の局部発振信号ＬＯ２よりも周波数ＦＩＦだけ高周波（ＦＬＯ２＋ＦＩＦ＝４．４ＧＨｚ）なスプリアス信号をも遮断する構成となっている。
【００３３】
本実施の形態によるデュアルシステム無線通信装置は上述のように構成されるものであり、次にその作動について説明する。
【００３４】
まず、第１の無線周波数信号ＲＦ１の送信時には、共用器１２を用いてアンテナ１１と電力増幅器１０とを接続すると共に、切換スイッチ７を用いて第１の局部発振器３と送信用ミキサ５とを接続する。
【００３５】
この状態でベースバンド処理部１と変復調処理部２とによって変調された中間周波数信号ＩＦが送信用ミキサ５に入力されると、送信用ミキサ５は、第１の局部発振器３からの第１の局部発振信号ＬＯ１を用いて中間周波数信号ＩＦをアップコンバートし、これらの周波数ＦＬＯ１，ＦＩＦの和（ＦＬＯ１＋ＦＩＦ）で振動する第１の無線周波数信号ＲＦ１を出力する。そして、送信用ミキサ５から出力された第１の無線周波数信号ＲＦ１は、ＢＥＦ９によって第１の局部発振信号ＬＯ１等の不要な信号が除去された後、電力増幅器１０によって送信電力が増幅されてアンテナ１１から送信される。
【００３６】
一方、第２の無線周波数信号ＲＦ２の送信時には、共用器１２はアンテナ１１と電力増幅器１０とを接続した状態で、切換スイッチ７を切換えて第２の局部発振器４を送信用ミキサ５に接続する。
【００３７】
この状態でベースバンド処理部１と変復調処理部２とによって変調された中間周波数信号ＩＦが送信用ミキサ５に入力されると、送信用ミキサ５は、第２の局部発振器４からの第２の局部発振信号ＬＯ２を用いて中間周波数信号ＩＦをアップコンバートし、これらの周波数ＦＬＯ２，ＦＩＦの差（ＦＬＯ２−ＦＩＦ）で振動する第２の無線周波数信号ＲＦ２を出力する。そして、送信用ミキサ５から出力された第２の無線周波数信号ＲＦ２は、ＢＥＦ９によって第２の局部発振信号ＬＯ２等の不要な信号が除去された後、電力増幅器１０によって送信電力が増幅されてアンテナ１１から送信される。
【００３８】
次に、第１の無線周波数信号ＲＦ１の受信時には、共用器１２を用いてアンテナ１１と低雑音増幅器１３とを接続すると共に、切換スイッチ７を用いて第１の局部発振器３と受信用ミキサ６とを接続する。
【００３９】
この状態でアンテナ１１によって第１の無線周波数信号ＲＦ１を受信すると、第１の無線周波数信号ＲＦ１は、低雑音増幅器１３によって増幅され、ＢＥＦ１４によって不要な信号が除去された後に、受信用ミキサ６に入力される。このとき、受信用ミキサ６は、第１の局部発振器３からの第１の局部発振信号ＬＯ１を用いて第１の無線周波数信号ＲＦ１をダウンコンバートし、これらの周波数ＦＲＦ１，ＦＬＯ１の差（ＦＲＦ１−ＦＬＯ１）で振動する中間周波数信号ＩＦを出力する。そして、受信用ミキサ６から出力された中間周波数信号ＩＦは変復調回路部２とベースバンド処理部１とによってベースバンド信号に復調される。
【００４０】
一方、第２の無線周波数信号ＲＦ２の受信時には、共用器１２はアンテナ１１と低雑音増幅器１３とを接続した状態で、切換スイッチ７を切換えて第２の局部発振器４を受信用ミキサ６に接続する。
【００４１】
この状態でアンテナ１１によって第２の無線周波数信号ＲＦ２を受信すると、第２の無線周波数信号ＲＦ２は、低雑音増幅器１３によって増幅され、ＢＥＦ１４によって不要な信号が除去された後に、受信用ミキサ６に入力される。このとき、受信用ミキサ６は、第２の局部発振器４からの第２の局部発振信号ＬＯ２を用いて第２の無線周波数信号ＲＦ２をダウンコンバートし、これらの周波数ＦＲＦ２，ＦＬＯ２の差（ＦＬＯ２−ＦＲＦ２）で振動する中間周波数信号ＩＦを出力する。そして、受信用ミキサ６から出力された中間周波数信号ＩＦは変復調回路部２とベースバンド処理部１とによってベースバンド信号に復調される。
【００４２】
かくして、本実施の形態では、第１の局部発振信号ＬＯ１の発振周波数ＦＬＯ１を第１の無線周波数信号ＲＦ１と中間周波数信号ＩＦとの周波数ＦＲＦ１，ＦＩＦの差（ＦＲＦ１−ＦＩＦ）とほぼ同じ値に設定すると共に、第２の局部発振信号ＬＯ２の発振周波数ＦＬＯ２を第２の無線周波数信号ＲＦ２と中間周波数信号ＩＦとの周波数ＦＲＦ２，ＦＩＦの和（ＦＲＦ２＋ＦＩＦ）とほぼ同じ値に設定したから、第１，第２の局部発振信号ＬＯ１，ＬＯ２の発振周波数ＦＬＯ１，ＦＬＯ２を第１，第２の無線周波数信号ＲＦ１，ＲＦ２の周波数ＦＲＦ１，ＦＲＦ２間の値（ＦＲＦ１＞ＦＬＯ１＞ＦＲＦ２，ＦＲＦ１＞ＦＬＯ２＞ＦＲＦ２）に設定することができる。
【００４３】
このため、単一のＢＥＦ９，１４を用いて第１，第２の無線周波数信号ＲＦ１，ＲＦ２を通過させつつ第１，第２の局部発振信号ＬＯ１，ＬＯ２を遮断することができるから、複数の帯域通過フィルタ等が必要となる従来技術に比べて無線通信回路部８の回路構成を簡略化できる。このため、装置全体を小型化することができると共に、製造コストを低減することができる。
【００４４】
また、ＢＥＦ９，１４は、第１，第２の局部発振信号ＬＯ１，ＬＯ２に加えて、第１の局部発振信号ＬＯ１よりも周波数ＦＩＦだけ低周波なスプリアス信号を遮断すると共に、第２の局部発振信号ＬＯ２よりも周波数ＦＩＦだけ高周波なスプリアス信号を遮断する構成としたから、例えば送信用ミキサ５の動作に伴ってこれらのスプリアス信号が出力されるときでも、単一のＢＥＦ９，１４を用いてスプリアス信号を除去することができ、通信品質を高めることができる。
【００４５】
次に、図３は第２の実施の形態によるデュアルシステム無線通信装置を示し、本実施の形態の特徴は、帯域阻止フィルタの入力側または出力側には、第１，第２の無線周波数信号を通過させ、第１の無線周波数信号よりも高周波な信号を遮断すると共に、第２の無線周波数信号よりも低周波な信号を遮断する帯域通過フィルタを設ける構成としたことにある。なお、本実施の形態では前記第１の実施の形態と同一の構成要素に同一の符号を付し、その説明を省略するものとする。
【００４６】
２１は送信側のＢＥＦ９と電力増幅器１０との間に設けられた帯域通過フィルタ（以下、ＢＰＦ２１という）で、該ＢＰＦ２１はＢＥＦ９の出力側に直列接続されている。そして、ＢＰＦ２１は、第１，第２の無線周波数信号ＲＦ１，ＲＦ２を通過させ、第１の無線周波数信号ＲＦ１よりも高周波な信号を遮断すると共に、第２の無線周波数信号ＲＦ２よりも低周波な信号を遮断する。
【００４７】
２２は受信側のＢＥＦ１４と低雑音増幅器１３との間に設けられた帯域通過フィルタ（以下、ＢＰＦ２２という）で、該ＢＰＦ２２はＢＥＦ１４の入力側に直列接続されている。そして、ＢＰＦ２２は、ＢＰＦ２１とほぼ同様に、第１，第２の無線周波数信号ＲＦ１，ＲＦ２を通過させ、第１の無線周波数信号ＲＦ１よりも高周波な信号を遮断すると共に、第２の無線周波数信号ＲＦ２よりも低周波な信号を遮断する。
【００４８】
かくして、本実施の形態によるデュアルシステム無線通信装置でも第１の実施の形態と同様の作用効果を得ることができる。しかし、本実施の形態では、ＢＥＦ９，１４にはＢＰＦ２１，２２を直列接続したから、ＢＰＦ２１，２２によって例えば第１，第２の局部発振信号ＬＯ１，ＬＯ２の高調波等を除去することができる。このため、ＢＰＦ２１，２２とＢＥＦ９，１４とを組合せることによって第１，第２の無線周波数信号ＲＦ１，ＲＦ２だけを通過させることができ、送信または受信の品質を高めることができる。
【００４９】
なお、第２の実施の形態では、送信側のＢＥＦ９の出力側にはＢＰＦ２１を設けると共に、受信側のＢＥＦ１４の入力側にはＢＰＦ２２を設ける構成とした。しかし、本発明はこれに限らず、例えば図３中に一点鎖線で示すように、送信側のＢＥＦ９の入力側にはＢＰＦ２１′を設けると共に、受信側のＢＥＦ１４の出力側にはＢＰＦ２２′を設ける構成としてもよい。
【００５０】
また、前記各実施の形態では、第１，第２の無線周波数信号ＲＦ１，ＲＦ２の周波数ＦＲＦ１，ＦＲＦ２を５．２ＧＨｚ，２．４ＧＨｚにそれぞれ設定し、中間周波数信号ＩＦの周波数ＦＩＦを１ＧＨｚに設定するものとした。しかし、周波数ＦＲＦ１，ＦＲＦ２，ＦＩＦは、これらの値に限定されるものではなく、無線通信装置の仕様等に応じて適宜設定できるものである。
【００５１】
【発明の効果】
以上詳述した通り、請求項１，２の発明によれば、第１の局部発振信号の発振周波数ＦＬＯ１を第１の無線周波数信号と中間周波数信号との周波数ＦＲＦ１，ＦＩＦの差と同じ値に設定すると共に、第２の局部発振信号の発振周波数ＦＬＯ２を第２の無線周波数信号と中間周波数信号との周波数ＦＲＦ２，ＦＩＦの和と同じ値に設定したから、第１，第２の局部発振信号の発振周波数ＦＬＯ１，ＦＬＯ２を第１，第２の無線周波数信号の周波数ＦＲＦ１，ＦＲＦ２間の値に設定することができる。このため、単一の帯域阻止フィルタを用いて第１，第２の無線周波数信号を通過させつつ第１，第２の局部発振信号を遮断することができるから、複数の帯域通過フィルタが必要となる従来技術に比べて回路構成を簡略化して製造コストを低減することができる。
【００５２】
請求項３の発明によれば、帯域阻止フィルタは、第１，第２の局部発振信号に加えて、第１の局部発振信号よりも周波数ＦＩＦだけ低周波な信号を遮断すると共に、第２の局部発振信号よりも周波数ＦＩＦだけ高周波な信号を遮断する構成としたから、例えば送信用ミキサの動作に伴ってスプリアス信号が出力されるときでも、単一の帯域阻止フィルタを用いてスプリアス信号を除去することができ、通信品質を高めることができる。
【００５３】
請求項４の発明によれば、帯域阻止フィルタの入力側または出力側には、第１，第２の無線周波数信号を通過させ、第１の無線周波数信号よりも高周波な信号と第２の無線周波数信号よりも低周波な信号とを遮断する帯域通過フィルタを設ける構成としたから、これらの帯域通過フィルタと帯域阻止フィルタとを組合せることによって第１，第２の無線周波数信号だけを通過させることができ、送信または受信の品質を高めることができる。
【図面の簡単な説明】
【図１】本発明の第１の実施の形態によるデュアルシステム無線通信装置を示す全体構成図である。
【図２】周波数と図１中の帯域阻止フィルタの通過利得との関係を示す特性線図である。
【図３】第２の実施の形態によるデュアルシステム無線通信装置を示す全体構成図である。
【符号の説明】
３  第１の局部発振器
４  第２の局部発振器
５  送信用ミキサ
６  受信用ミキサ
７  切換スイッチ
９，１４  帯域阻止フィルタ
１１  アンテナ
２１，２２  帯域通過フィルタ
【図１】
2004343329.tif 000003
【図２】
2004343329.tif 000004
【図３】
2004343329.tif 000005